(57)【特許請求の範囲】
【請求項１】
洗車機本体と被洗浄車両とを前後方向に相対移動させながら洗車を行う洗車機において、
洗車機本体の前側に被洗浄車両の側面をブラッシングするサイドブラシを設け、その後方に被洗浄車両の上面をブラッシングするトップブラシを設け、更にその後方に乾燥用の送風ノズルを配設するとともに、
前記トップブラシを相対向して水を跳ね上げる方向に互いに逆方向に回転する前後一対のブラシ体から構成し、
前記トップブラシは、回転する前後一対の前記ブラシ体の先端が当接する程度に近接して配置されることを特徴とする洗車機。
【請求項２】
前記送風ノズルは、被洗浄車両の上面を乾燥するトップ送風ノズルと、被洗浄車両の側面を乾燥するサイド送風ノズルとを備え、前記トップブラシに近い方に前記トップ送風ノズルを配設したことを特徴とする請求項１に記載の洗車機。
【発明の詳細な説明】
【技術分野】
【０００１】
本発明は、例えば給油所に設置され洗車に使用される洗車機に関し、特に、洗浄工程と乾燥工程を１ＷＡＹで行う洗車機に関する。
【背景技術】
【０００２】
従来、洗車に使用される洗車機としては、給油所などに設置されて、被洗浄車両と洗車機本体を前後方向に相対移動させながら、被洗浄車両に貯液タンクに貯留された液剤や洗浄水を噴射して、また、ブラッシングして洗車を行う構成とされる門型洗車機が知られている。この洗車を行う工程としては、液剤や洗浄水を噴射しながらブラッシングして洗浄する洗浄工程と、洗浄後に風を吹き付けて乾燥する乾燥工程を有している。
【０００３】
洗浄工程においては、先ず、洗浄水を用いて汚れを落とし、次いでシャンプーなどの液剤を用いて洗浄し、さらに洗浄水を用いて水洗いする。この洗浄工程の後で、各送風ノズルから送風して乾燥する乾燥工程が行われる。また、必要に応じて撥水コートやワックスなどの液剤（コーティング剤）塗布工程を適宜組み合わせて洗車を行う。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
上記した洗車機は、洗浄するための洗浄手段と乾燥のための乾燥手段を備える。そして、これらの洗浄手段と乾燥手段を一体に備えた洗車機本体が被洗浄車両を挟む両側に設置される一対のレールに沿って走行移動する門型構成の洗車機や、洗浄手段を備えた第一走行体と乾燥手段を備えた第二走行体とを有する洗車機本体をそれぞれ独立して前記レールに沿って走行移動する構成の洗車機が知られている。
【０００５】
また、所定の洗車位置に停車した被洗浄車両に対して洗車機本体を繰り返し往復移動して洗車を行うことや、１ＷＡＹ方式で１回の往行により洗浄工程と乾燥工程を実施することが行われている。
【０００６】
例えば、洗車機を設置する面積が大きく取れなくて、洗車機本体の走行移動距離が短い場合には、洗浄手段と乾燥手段を一体に備えてコンパクトな構成とされる洗車機本体を用いて、第一洗浄工程（第一往行、例えば洗剤を用いた洗浄）、第二洗浄工程（第一復行、例えば撥水コートやワックスなどの液剤塗布）、乾燥工程（第二往行）を繰り返す往復方式の洗車工程が採用される。
【０００７】
一方、洗車機を設置する面積が大きく取れて、洗車機本体の走行移動距離が十分長い場合には、洗浄手段を備えた第一走行体と乾燥手段を備えた第二走行体とを有する洗車機本体を用い、所定間隔離間して一体に走行移動させて、第一走行体により洗浄工程を行い、続いて、第二走行体による乾燥工程を連続して行う１ＷＡＹ（０．５往復）方式の洗車工程が採用される。
【０００８】
また、洗浄手段と乾燥手段を一体に備えた洗車機本体を用いて、洗浄工程と乾燥工程とを連続して行うことが模索されており、例えば、洗浄手段と乾燥手段との間に、洗浄水の飛散を防止するシャッターを設けて、乾燥部位に洗浄水が掛からないようにして、洗浄工程に続いて連続して乾燥工程が実施可能とした洗車機が既に出願されている（例えば、特許文献１参照）。
【先行技術文献】
【特許文献】
【０００９】
【特許文献１】特開２００２−１９３０７９号公報
【発明の概要】
【発明が解決しようとする課題】
【００１０】
上記特許文献１に記載された洗車機は、その洗車装置本体の前側に上面ブラシ装置（トップブラシ）、その後方に側面ブラシ装置（サイドブラシ）、更にその後方にブロワノズルを備えた構成とされる。そのために、ブロワノズル（乾燥手段）に近接してサイドブラシが配設されている構成となって、サイドブラシによる洗浄水や液剤の飛散の影響が大きくなる。
【００１１】
従って、洗浄水の飛散を抑制するために設置するシャッターは、サイドブラシによる洗浄水の飛散を効果的に抑制することが可能な形状や大きさであることが求められる。すなわち、サイドブラシによる洗浄水の飛散を抑制するために設置するシャッターや水飛び防止カーテンなどの所定の大きさが必要であり、洗浄手段と乾燥手段を一体に備えた洗車機本体を十分コンパクトに構成することが困難になる。
【００１２】
従って、十分には広くない洗車機の設置場所に、洗浄工程と乾燥工程とを連続して行う１ＷＡＹ（０．５往復）方式の洗車機を設置する場合には、洗浄手段と乾燥手段をよりコンパクトな構成で一体に備えた洗車機であることが望まれる。
【００１３】
本発明は、上記問題点に鑑み、洗車機本体と被洗浄車両とを前後方向に相対移動させながら洗車を行う洗車機において、洗浄手段と乾燥手段を一体に備えたコンパクトな構成であっても水飛びを抑制して洗浄工程と乾燥工程を連続して行うことが可能な洗車機を提供することを目的とする。
【課題を解決するための手段】
【００１４】
上記目的を達成するために本発明は、洗車機本体と被洗浄車両とを前後方向に相対移動させながら洗車を行う洗車機において、洗車機本体の前側に被洗浄車両の側面をブラッシングするサイドブラシを設け、その後方に被洗浄車両の上面をブラッシングするトップブラシを設け、更にその後方に乾燥用の送風ノズルを配設するとともに、前記トップブラシを相対向して水を跳ね上げる方向に互いに逆方向に回転する前後一対のブラシ体から構成したことを特徴としている。
【００１５】
この構成によると、サイドブラシと乾燥用の送風ノズル間の距離が長くなるので、サイドブラシによる水飛びの影響は小さくなる。また、送風ノズルに近いトップブラシは、対向する方向に水を跳ね上げる前後一対のブラシ体から構成されるので、ブラシ体が跳ね上げる水は送風ノズルには届かない。すなわち、洗浄手段と乾燥手段を一体に備えたコンパクトな構成であっても水飛びを抑制して洗浄工程と乾燥工程を連続して行うことが可能な洗車機を得ることができる。
【００１６】
また本発明は上記構成の洗車機において、前記トップブラシは、回転する前記ブラシ体の先端が当接する程度に近接して配置されることを特徴としている。この構成によると、トップブラシを用いて被洗浄車両の上面をブラッシングすることにより水を跳ね上げても、跳ね上げられた水は相対向するブラシ体間の密閉空間に留まり、当接するブラシ体の上部には跳ね上げることがなく、トップブラシによる水飛びを効果的に抑制できる。
【００１７】
また本発明は上記構成の洗車機において、前記送風ノズルは、被洗浄車両の上面を乾燥するトップ送風ノズルと、被洗浄車両の側面を乾燥するサイド送風ノズルとを備え、前記トップブラシに近い方に前記トップ送風ノズルを配設したことを特徴としている。この構成によると、トップ送風ノズルがトップブラシに近い位置に配設されていても、トップブラシによる水飛びが抑制されているので、トップ送風ノズルに水が掛からない。また、サイド送風ノズルは、サイドブラシから遠い位置に配設されるので、サイドブラシによる水飛びの影響も受けない構成となる。
【発明の効果】
【００１８】
本発明によれば、洗車機本体の前側にサイドブラシを、その後方にトップブラシを、更にその後方に乾燥用の送風ノズルを配設し、前記トップブラシを相対向して水を跳ね上げる方向に回転する前後一対のブラシ体から構成したので、洗浄手段と乾燥手段を一体に備えたコンパクトな構成であっても水飛びを抑制して洗浄工程と乾燥工程を連続して行うことが可能な洗車機を得ることができる。
【図面の簡単な説明】
【００１９】
【図１】本発明に係る洗車機の全体構成を示す側面図である。
【図２】本発明に係る洗車機の概略正面図である。
【図３】本発明に係る洗車機の洗車状態を示す概略側面図である。
【図４】トップブラシによる洗浄工程を示す概略側面図である。
【図５】従来の洗車機の構成を示す概略説明図である。
【発明を実施するための形態】
【００２０】
以下に本発明の実施形態を図面を参照して説明する。図１、図２は一実施形態の洗車機ＷＡを示す側面図、概略正面図である。洗車機ＷＡは左右の対向する２つのスタンド部９０の上端を連結する天井部９１を有して門型に形成される洗車機本体（本体部）１を備える。洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００２１】
洗車機本体１の底面には地面に設けられた左右一対のレール２上に配される車輪３が設けられる。これにより、洗車機本体１はレール２上を走行して被洗浄車両ＣＡに対して前後に相対移動するように立設される。
【００２２】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面をブラッシングして洗浄し、布（織布、編布、不織布等）や樹脂繊維から成るブラシ毛を放射状に固着して形成される。
【００２３】
サイドブラシ５は左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ毛を有している。
【００２４】
洗車機本体１の一方の側方には洗剤やワックス等の各種液剤を貯液する複数の貯液タンク（不図示）を収納するタンク収納部（不図示）が配される。タンク収納部の上方には市水及び各貯液タンクからの液剤を電磁弁等を介して分配する分配配管部（不図示）が設けられる。分配配管部には第一洗浄ノズル１１、第二洗浄ノズル１２、第三洗浄ノズル１３が導出される。洗車機本体１の後方には洗浄液や高圧空気を供給する供給部（不図示）が設けられ、分配配管部に接続される。洗浄液は市水だけでなく、洗剤やワックス等の各種液剤と混合されてもよい。
【００２５】
例えば、第１洗浄ノズル１１は洗車機本体１の手前側に配され、被洗浄車両ＣＡに対して市水を噴射する。第２洗浄ノズル１２は洗車機本体１の中ほどに配され、被洗浄車両ＣＡに対して洗剤を噴射する。第三洗浄ノズル１３は洗車機本体１の奥側に配され、被洗浄車両ＣＡに対して撥水コート剤やワックスなどの液剤を噴射する。
【００２６】
また、洗車機本体１には被洗浄車両ＣＡを乾燥させる送風ノズルとしてトップ送風ノズル２１とサイド送風ノズル２２とを設けている。洗車機本体１の後方上部にはトップ送風ノズル２１が設けられ、さらに後方の両側方にサイド送風ノズル２２が設けられる。トップ送風ノズル２１及びサイド送風ノズル２２はブロワ２０からの送風を被洗浄車両ＣＡに対して吹き付けて乾燥させる。
【００２７】
洗車機本体１の前面上部には車両センサ８が設けられている。車両センサ８は光電センサや超音波センサ等から成り、洗車機本体１に進入する被洗浄車両ＣＡを検知する。また、洗車機本体１の入り口部には、被洗浄車両ＣＡの車形を検知する車形検知部９を設けている。この車形検知部９は、透過式光電センサからなるエリアセンサであって、洗車機本体１の一方の側部の上下方向に投光器を併設し、これらの投光器に対向する他方の側部の上下方向に受光器を併設することで、洗浄位置に進入してくる被洗浄車両の車形を検知して、その先端部と後端部およびボンネット高さを検知する。
【００２８】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００２９】
洗車条件の設定としてはシャンプー、ワックス掛け、撥水コート等を水洗いに追加するボタンが操作パネル７及びリモートパネル７Ａに設けられる。また、高級なシャンプー、高級なワックス（例えば、艶出しコーティング）、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００３０】
本実施形態の洗車機ＷＡは、洗車機本体１と被洗浄車両ＣＡとを前後方向に相対移動させながら、被洗浄車両ＣＡの洗車を行う洗車機であって、洗車機本体１の前側にサイドブラシ５を、その後方にトップブラシ４を、更にその後方に乾燥用の送風ノズルを配設し、前記トップブラシ４を相対向して水を跳ね上げる方向に互いに逆方向に回転する前後一対のブラシ体４ａ、４ｂから構成している。
【００３１】
すなわち、図３に示すように、洗車機本体１を図中の矢印Ｄ１方向に移動しながら、被洗浄車両ＣＡを、その前方からサイドブラシ５による側面洗浄を行い、次いで、ロッカーブラシ６による側面下部の洗浄とブラシ体４ａ、４ｂを備えたトップブラシ４による上面洗浄を行い、その後、送風ノズルから乾燥用空気を吹き付けて乾燥を行う。
【００３２】
上記の構成であれば、サイドブラシ５と乾燥用の送風ノズル間の距離が長くなるので、サイドブラシ５による水飛びの影響は小さくなる。また、送風ノズルに近いトップブラシ４は、対向する方向に水を跳ね上げる前後一対のブラシ体４ａ、４ｂから構成されるので、ブラシ体が跳ね上げる水は送風ノズルには届かない。すなわち、洗浄手段と乾燥手段を一体に備えたコンパクトな構成であっても水飛びを抑制して洗浄工程と乾燥工程を連続して行うことが可能な洗車機ＷＡを得ることができる。
【００３３】
図４に示すように、トップブラシ４は、前後一対の比較的小型のブラシ体４ａ、４ｂから成る。また、このトップブラシ４は、回転するブラシ体４ａ、４ｂの先端が当接する程度に近接して配置されている。この構成であれば、よりコンパクトな構成にでき、被洗浄車両ＣＡの上面ＣＡａに当接しながら回転することで跳ね上げられる水滴４１は、ブラシ体４ａ、４ｂ間の密閉された領域内に留まり、当接するブラシ体により上部に跳ね上げられない。従って、比較的コンパクトな構成であってもトップブラシ４による遠くに飛ばされる水滴４２が減少して、水飛びを効果的に抑制できる。
【００３４】
すなわち、トップ送風ノズル２１がトップブラシ４に近い位置に配設されていてコンパクトな構成であっても、トップブラシ４による水飛びが抑制されているので、トップ送風ノズル２１に水が掛からない。また、サイド送風ノズル２２は、サイドブラシ４から遠い位置に配設されるので、サイドブラシ４による水飛びの影響も受けない構成となる。
【００３５】
上記したように、本実施形態の洗車機ＷＡは、洗車機本体１の全長Ｌ１（図３参照）を最少にすることができ、トップブラシ４と乾燥用の送風ノズルとの距離を小さくしたコンパクトな構成の洗車機となる。
【００３６】
次に。従来構成の洗車機ＷＢにおける水飛びの影響について図５を用いて説明する。
【００３７】
従来構成の洗車機ＷＢは、洗車機本体１Ａの前側にトップブラシ４Ａを、その後方にサイドブラシ５Ａを、配設しており、その後方に乾燥用の送風ノズル（トップ送風ノズル２１Ａ）を配設している。また、トップブラシ４Ａは一本の比較的大きなブラシ体から成る。
【００３８】
そのために、サイドブラシ５Ａに近接してトップ送風ノズル２１Ａが配設されており、サイドブラシ５Ａにより跳ね上げられる水がトップ送風ノズル２１Ａに掛かってしまい、トップ送風ノズル２１Ａによる乾燥効果が低下してしまう。
【００３９】
従って、従来構成の洗車機ＷＢは、被洗浄車両ＣＡに対して１往行による洗車工程では十分良好な洗車効果を得ることができず、往行時に洗浄工程を行い、復行時に乾燥工程を行う等の往復工程が必要となる。
【００４０】
１往行のみにより洗浄工程と乾燥工程とを実行するためには、洗浄手段と乾燥手段との間隔を長く取るか、もしくは、これらの間に水飛び防止用のカーテンやシャッター部材等を配設して、洗浄手段が乾燥手段に影響を与えず、乾燥手段が洗浄手段に影響を与えないように構成する必要が生じる。
【００４１】
すなわち、洗車機ＷＢを、洗浄工程と乾燥工程を連続して行う１ＷＡＹ（０．５往復）方式の洗車機とするには、長さの長い洗車機本体とするか、洗浄手段と乾燥手段との間に水飛び防止用のカーテンやシャッター部材等を配設する必要が生じることになり、いずれにしても、十分コンパクトな構成とはならない。
【００４２】
一方、本実施形態によれば、洗車機本体１の前側にサイドブラシ５を、その後方にトップブラシ４を、更にその後方に乾燥用の送風ノズルを配設し、トップブラシ４を相対向して水を跳ね上げる方向に回転する前後一対のブラシ体４ａ、４ｂから構成しているので、サイドブラシ５と乾燥用の送風ノズル間の距離が長くなって、サイドブラシ５による水飛びの影響は小さくなる。また、送風ノズルに近いトップブラシ４は、対向する方向に水を跳ね上げる前後一対の比較的小型のブラシ体４ａ、４ｂから構成されるので、よりコンパクトな構成にでき、ブラシ体が跳ね上げる水は送風ノズルには届かない。すなわち、洗浄手段と乾燥手段を一体に備えたコンパクトな構成であっても水飛びを抑制して洗浄工程と乾燥工程を連続して行うことが可能な洗車機を得ることができる。
【００４３】
また、互いに逆方向に回転する前後一対のブラシ体４ａ、４ｂを用いているので、一方向の回転では洗浄が困難な部位であっても、他方向に回転するブラシ体により良好に洗浄できるので、より効果的な洗浄効果を発揮する。
【００４４】
上記したように、本実施形態に係る洗車機ＷＡによれば、洗浄手段と乾燥手段との間に水飛び防止カーテンやシャッター部材等を配設する必要がなく、コンパクトな構成を維持しながら洗浄工程と乾燥工程を連続して行う１ＷＡＹ（０．５往復）方式の洗車機を実現することができる。
【００４５】
そのために、結果的に最少スペースの１ＷＡＹ方式の洗車機を得ることができる。また、この洗車機を用いて、往行・復行を繰り返す、１．５往復方式や２．５往復方式の洗車工程にも対応できることは明らかである。
【産業上の利用可能性】
【００４６】
そのために、本発明に係る洗車機は、設置面積が十分大きくない洗車場の洗車機として好適に適用される。
【符号の説明】
【００４７】
１    洗車機本体
２    レール
３    車輪
４    トップブラシ
４ａ、４ｂ  ブラシ体
５    サイドブラシ
２１    トップ送風ノズル
２２    サイド送風ノズル
ＣＡ    被洗浄車両
ＷＡ    洗車機
【図１】
0005772602.tif 000002
【図２】
0005772602.tif 000003
【図３】
0005772602.tif 000004
【図４】
0005772602.tif 000005
【図５】
0005772602.tif 000006